(57)【要約】【課題】給電コネクタがフレーム開口部の裏面側に配置されていても、被給電部材と給電コネクタとの接続を視認することができる電子機器及び画像形成装置を提供する。【解決手段】少なくとも一つの被給電部材と、前記被給電部材と電気的に接続され、第１の面に設けられる端子部材と、前記第１の面の裏側の第２の面側から前記端子部材の少なくとも一部が視認されるように形成された視認用開口部と、有する電装基板と、を備える。【選択図】図４
2017049401.tif 000002
【特許請求の範囲】
【請求項１】
少なくとも一つの被給電部材と、
前記被給電部材と電気的に接続され、第１の面に設けられる端子部材と、前記第１の面の裏側の第２の面側から前記端子部材の少なくとも一部が視認されるように形成された視認用開口部と、有する電装基板と、
を備えた電子機器。
【請求項２】
前記電装基板の前記第１の面には、複数の電子部品が設けられ、前記電子部品間には沿面絶縁距離確保用溝が形成されている請求項１に記載の電子機器。
【請求項３】
前記視認用開口部と前記沿面絶縁距離確保用溝は連続して形成されている請求項２に記載の電子機器。
【請求項４】
前記電装基板は、該電装基板の側面から前記端子部材装着位置まで窪むように形成された窪み部を有する請求項１乃至３いずれか記載の電子機器。
【請求項５】
少なくとも一つの被給電部材と、
前記被給電部材と電気的に接続され、第１の面に設けられる端子部材と、前記第１の面の裏側の第２の面側から前記端子部材の少なくとも一部が視認されるように形成された視認用開口部と、有する電装基板と、
を有する電子機器を備えた画像形成装置。
【発明の詳細な説明】
【技術分野】
【０００１】
本発明は、電子機器及び画像形成装置に関する。
【背景技術】
【０００２】
特許文献１は、少なくとも一つの被給電部材を含む被給電ユニットと、前記被給電部材に電気的に接続して給電する高圧電源基板と、前記高圧電源基板支持部材とを備え、静電写真プロセスにより画像形成を行う画像形成装置において、装置本体の１対の対向面に略平行に配置された第一の側板及び第二の側板で構成される構造体を有し、前記高圧電源基板及び前記高圧電源基板支持部材が、前記第一の側板と前記第二の側板との間の開口部から着脱可能に装着され、前記被給電ユニットと前記高圧電源基板とを電気的に接続する端子部材として一対の接触端子を備え、一方の前記接触端子が、前記高圧電源基板の着脱方向に対する２つの傾斜面により山状に形成された弾性部材である構成を開示する。
【先行技術文献】
【特許文献】
【０００３】
【特許文献１】特開２０１１−０５９３４８号公報
【発明の概要】
【発明が解決しようとする課題】
【０００４】
組み立て時、メンテナンス時に作業者は装置天面方向や正面方向からのコネクタ着脱作業が行われるが、基板面積、高圧給電経路の引き廻しの関係上、フレーム開口部側には一部の給電コネクタしか配置できない。また、給電コネクタを装着する部品装着面がフレーム開口部の裏面側に配置される場合がある。
【０００５】
本発明は、給電コネクタがフレーム開口部の裏面側に配置されていても、被給電部材と給電コネクタとの接続を視認することができる電子機器及び画像形成装置を提供することを目的とする。
【課題を解決するための手段】
【０００６】
上記目的を達成するために、請求項１に係る本発明は、少なくとも一つの被給電部材と、前記被給電部材と電気的に接続され、第１の面に設けられる端子部材と、前記第１の面の裏側の第２の面側から前記端子部材の少なくとも一部が視認されるように形成された視認用開口部と、有する電装基板と、を備えた電子機器である。
【０００７】
請求項２に係る本発明は、前記電装基板の前記第１の面には、複数の電子部品が設けられ、前記電子部品間には沿面絶縁距離確保用溝が形成されている請求項１に記載の電子機器である。
【０００８】
請求項３に係る本発明は、前記視認用開口部と前記沿面絶縁距離確保用溝は連続して形成されている請求項２に記載の電子機器である。
【０００９】
請求項４に係る本発明は、前記電装基板は、該電装基板の側面から前記端子部材装着位置まで窪むように形成された窪み部を有する請求項１乃至３いずれか記載の電子機器。
【００１０】
請求項５に係る本発明は、少なくとも一つの被給電部材と、前記被給電部材と電気的に接続され、第１の面に設けられる端子部材と、前記第１の面の裏側の第２の面側から前記端子部材の少なくとも一部が視認されるように形成された視認用開口部と、有する電装基板と、を有する電子機器を備えた画像形成装置である。
【発明の効果】
【００１１】
請求項１に係る本発明によれば、給電コネクタがフレーム開口部の裏面側に配置されていても、被給電部材と給電コネクタとの接続を視認することができる電子機器を提供することができる。
【００１２】
請求項２に係る本発明によれば、請求項１に係る本発明が奏する効果に加えて、各電子部品間の沿面絶縁距離を確保することができる。
【００１３】
請求項３に係る本発明によれば、請求項２に係る本発明が奏する効果に加えて、視認用開口部と沿面絶縁距離確保用溝を連続して形成しない場合と比較して、加工が容易となる。
【００１４】
請求項４に係る本発明によれば、請求項１乃至３いずれかに係る本発明が奏する効果に加えて、本構成を有しない場合と比較して、操作者が被給電部材と給電コネクタとの着脱作業をし易くすることができる。
【００１５】
請求項５に係る本発明によれば、給電コネクタがフレーム開口部の裏面側に配置されていても、被給電部材と給電コネクタとの接続を視認することができる画像形成装置を提供することができる。
【図面の簡単な説明】
【００１６】
【図１】本発明の実施形態に係る画像形成装置を示す断面図である。
【図２】図１に示す画像形成装置が有する電装基板を電子部品装着側からみた斜視図である。
【図３】図２に示す電装基板を電子部品装着側からにみた上面図である。
【図４】図２及び図３に示す電装基板を裏面側からみた上面図である。
【発明を実施するための形態】
【００１７】
次に、本発明を実施するための形態を、図面を参照して説明する。
図１には、本発明の第１の実施形態に係る画像形成装置１０が示されている。図１に示されるように、画像形成装置１０は画像形成装置本体１２を有する。
【００１８】
画像形成装置本体１２には、前方側開閉部１４がヒンジ１６を用いて画像形成装置本体１２に対して前方に開閉することができるように取り付けられている。
【００１９】
また、画像形成装置本体１２には、上方側開閉部１８がヒンジ２０を用いて画像形成装置本体１２に対して上方に開閉することができるように取り付けられている。
【００２０】
上方側開閉部１８は、通常は画像形成装置本体１２に対して閉じられている。後述する感光体ユニット２２Ｙ、２２Ｍ、２２Ｃ、２２Ｋを画像形成装置本体１２内に着脱する際に上方側開閉部１８は開かれる。上方側開閉部１８を開くことに先立ち、前方側開閉部１４がヒンジ１６を用いて画像形成装置本体１２に対して開かれる。
【００２１】
前方側開閉部１４を画像形成装置本体１２に対して閉じる際には、前方側開閉部１４を閉じることに先立って、上方側開閉部１８が画像形成装置本体１２に対して閉じられる。上方側開閉部１８は、上側の面が画像の形成されたシートが排出される排出部として用いられる。
【００２２】
画像形成装置本体１２内には、シートに画像を形成する画像形成部２４が設けられている。画像形成部２４は、例えば４個の感光体ユニット２２Ｙ、２２Ｍ、２２Ｃ、２２Ｋを有する。
【００２３】
感光体ユニット２２Ｙ、２２Ｍ、２２Ｃ、２２Ｋは、それぞれが像形成構造体として用いられていて、感光体ドラム２６Ｙ、２６Ｍ、２６Ｃ、２６Ｋをそれぞれが有し、それぞれが画像形成装置本体１２内に着脱することができる。感光体ユニット２２Ｙ、２２Ｍ、２２Ｃ、２２Ｋは、画像形成装置本体１２の後側（図１における右側）から順に、感光体ユニット２２Ｙ、２２Ｍ、２２Ｃ、２２Ｋの順に並べられている。
【００２４】
感光体ドラム２６Ｙ、２６Ｍ、２６Ｃ、２６Ｋは、それぞれが像を保持する像保持体として用いられている。
【００２５】
また、画像形成部２４は、潜像形成装置として用いられる光書き込み装置２８を有する。光書き込み装置２８は、感光体ドラム２６Ｙ、２６Ｍ、２６Ｃ、２６Ｋのそれぞれに対して光を照射して、感光体ドラム２６Ｙ、２６Ｍ、２６Ｃ、２６Ｋのぞれぞれの表面に潜像を形成する。
【００２６】
また、画像形成部２４は、現像装置３０Ｙ、３０Ｍ、３０Ｃ、３０Ｋを有する。現像装置３０Ｙは、収納するイエローのトナーを用いて感光体ドラム２６Ｙに形成された潜像を現像する。現像装置３０Ｍは、収納するマゼンタのトナーを用いて感光体ドラム２６Ｍに形成された潜像を現像する。現像装置３０Ｃは、収納するシアンのトナーを用いて感光体ドラム２６Ｃに形成された潜像を現像する。現像装置３０Ｋは、収納する黒のトナーを用いて感光体ドラム２６Ｋに形成された潜像を現像する。
【００２７】
また、画像形成部２４は転写装置３２を有し、転写装置３２は、中間転写装置である中間転写ベルトユニット３４及び２次転写装置３６を有し、中間転写ベルトユニット３４は中間転写体である中間転写ベルト３８を有する。
【００２８】
中間転写ベルト３８は、感光体ドラム２６Ｙ、２６Ｍ、２６Ｃ、２６Ｋから像（トナー像）が転写される転写体として用いられている。また、中間転写ベルト３８は、帯状であって、回転部材である支持ロール４０、４２、４４、４６、４８に、図１に矢印で示す方向に回転することができるように掛けわたされている。支持ロール４６には、不図示のギアを介してモータからの駆動が伝達され、モータからの駆動の伝達を受けて回転することで、支持ロール４６は中間転写ベルト３８に駆動を伝達する。
【００２９】
また、中間転写ベルトユニット３４は、１次転写装置として用いられる１次転写ロール５０Ｙ、５０Ｍ、５０Ｃ、５０Ｋを有する。１次転写ロール５０Ｙ、５０Ｍ、５０Ｃ、５０Ｋは、感光体ドラム２６Ｙ、２６Ｍ、２６Ｃ、２６Ｋの表面にそれぞれが形成されたイエロートナー像、マゼンタのトナー像、シアンのトナー像、黒のトナー像を、中間転写ベルト３８に転写する。
【００３０】
２次転写装置３６は、２次転写ロール５２を有する。２次転写ロール５２は、中間転写ベルト３８に転写されたイエローのトナー像、マゼンタのトナー像、シアンのトナー像、及び黒のトナー像を、シートに対してさらに転写する。
【００３１】
また、転写装置３２は、クリーニング装置５４を有し、クリーニング装置５４は掻き落とし部材５６を有する。掻き落とし部材５６は、２次転写ロール５２でシートに対して各色のトナー像が転写された後に、中間転写ベルト３８の表面に残留する各色のトナーを掻き落とす。クリーニング装置５４の本体内には、掻き落とし部材５６によって掻き落とされたトナーが回収される。クリーニング装置５４は、上方側開閉部１８を開くことによって形成される開口部を介して画像形成装置本体１２内に着脱することができるようになっている。
【００３２】
転写装置３２を構成する部材のうち、中間転写ベルトユニット３４と、クリーニング装置５４とは上方側開閉部１８に設けられている。転写装置３２のうち、２次転写ロール５２は画像形成装置本体１２に設けられている。
【００３３】
また、画像形成装置本体１２内の前方側であって、前方側開閉部１４の内側には、２次転写ロール５２によってシートに転写されたトナー像をシートに定着する定着装置５８が設けられ、前方側開閉部１４の内側で一体として収納されている。また、前方側開閉部１４の内側には、後述する反転搬送路６０が設けられ、前方側開閉部１４をヒンジ１６を回転軸として開くことで、反転搬送路６０が開放されて、シートのジャムを除去することができる。
【００３４】
また、画像形成装置本体１２内には、回収容器６２が設けられている。回収容器６２には、現像装置３０Ｙ、３０Ｍ、３０Ｃ、３０Ｋから排出された余剰現像剤が回収される。回収容器６２は、例えば感光体ユニット２２Ｋと一体となっている。
【００３５】
また、画像形成装置本体１２内には、画像形成部２４にシートを供給するシート供給装置６４が装着されている。シート供給装置６４は、画像形成装置本体１２の前側（図１における左側）に引き出すことができるようになっていて、シート供給装置６４を画像形成装置本体１２から引き出した状態でシートが補充される。
【００３６】
シート供給装置６４は、例えば普通紙等のシートを積層した状態で収納するシート収納容器６６を有する。また、シート供給装置６４は、シート収納容器６６に収納された最上位のシートを抽出し、抽出したシートを画像形成部２４へ向けて搬送する搬送ロール６８を有する。また、シート供給装置６４は、シートを捌き、画像形成部２４に複数枚のシートが重なった状態で搬送されることを防止するために用いられるリタードロール７０を有する。
【００３７】
また、画像形成装置本体１２内には、シートの搬送に用いられる搬送路７２が形成されている。搬送路７２は、主搬送路７４と、反転搬送路６０とを有する。
【００３８】
主搬送路７４は、シート供給装置６４から供給されたシートを画像形成部２４に搬送し、画像が形成されたシートを画像形成装置本体１２外に排出するために用いられる。主搬送路７４に沿って、シートが搬送される方向における上流側から順に、先述の搬送ロール６８及びリタードロール７０と、レジストロール７８と、先述の２次転写ロール５２と、先述の定着装置５８と、排出ロール８０とが配置されている。
【００３９】
レジストロール７８は、シート供給装置６４側から搬送されてきたシートの先端部を一時的に停止させ、中間転写ベルト３８に各色のトナー像が転写されるタイミングと合致するようにシートを２次転写ロール５２に向けて送り出す。
【００４０】
排出ロール８０は、定着装置５８によって各色のトナーが定着されたシートを画像形成装置本体１２外に排出する。
【００４１】
反転搬送路６０は、一方の面にトナー像が定着されたシートを反転させつつ再び画像形成部２４に向けて供給するために用いられる搬送路である。反転搬送路６０に沿って、例えば２つの反転搬送ロール８２、８２が配置されている。反転搬送路６０には、シートの後端部を挟みこんだ状態で排出ロール８０が逆回転することでシートが後端部側から供給され、供給されたシートが反転搬送ロール８２、８２によって、レジストロール７８の上流の位置へと搬送される。
【００４２】
画像形成装置本体１２内には、感光体ドラム２６Ｙ、２６Ｍ、２６Ｃ、２６Ｋ、現像装置３０Ｙ、３０Ｍ、３０Ｃ、３０Ｋ、１次転写ロール５０Ｙ、５０Ｍ、５０Ｃ、５０Ｋ等の装置内部の被給電部材に高電圧を印加する電装基板１００が設けられている。各被給電部材と電装基板１００の給電コネクタとしての端子部材１０２とが接続されることで各被給電部材へ高電圧が供給される。
【００４３】
前方側開閉部１４は、ヒンジ１６を回転軸として開くことで、搬送路７２が開放されて、シートのジャムを除去することができる。また、前方側開閉部１４を開くと、定着装置５８を画像形成装置本体１２に対して前方に取出されるように収納されている。
【００４４】
また、上方側開閉部１８は、ヒンジ２０を回転軸として開くことで、中間転写ベルトユニット３４、クリーニング装置５４、光書き込み装置２８を画像形成装置本体１２に対して上方に取出されるように収納されている。また、上方側開閉部１８は、ヒンジ２０を回転軸として開くことで、電装基板１００の端子部材１０２に各被給電部材が装着される。
【００４５】
図２〜４には、本実施形態に係る電装基板１００が示されている。図２は、電装基板１００を電子部品装着側からみた斜視図である。図３は、電装基板１００を電子部品装着側からにみた上面図である。図４は、図２及び図３の電装基板１００を反対側からみた上面図である。
【００４６】
電装基板１００の裏面側である第１の面１００ａには、トランジスタや交流電圧を直流電圧に変換するトランス、チョークコイル等の電子部品１０４が装着されている。電装基板１００の表面側である第２の面１００ｂは、ハンダ面となっている。本実施形態において電装基板１００は、画像形成装置本体１２内で電子部品１０４が画像形成装置本体１２の底面に対向するように配置されている。
【００４７】
電装基板１００の電子部品１０４間には、沿面絶縁距離確保のための沿面絶縁距離確保用溝としてのスリット１０６が形成されている。スリット１０６の幅Ｔ1は、例えば１ｍｍ程度である。
【００４８】
電装基板１００の端子部材１０２が配置される位置には視認用開口部１０８が形成されている。すなわち、視認用開口部１０８を介して第２の面１００ｂ側から端子部材１０２が視認される。視認用開口部１０８の幅Ｔ2は、例えば１．５ｍｍ以上である。
【００４９】
視認用開口部１０８とスリット１０６は、電装基板１００に対して連続して形成されている。視認用開口部１０８とスリット１０６を連続して形成しない構成と比べると電装基板１００の加工段階において穴あけ加工が容易となっている。
【００５０】
電装基板１００は、該電装基板１００の側面から端子部材１０２装着位置まで窪むように形成された窪み部１１０を有する。窪み部１１０は、視認用開口部１０８に近接した位置まで斜めに形成されている。
【００５１】
次に、本実施形態に係る電装基板１００に対して被給電部材を接続する動作について説明する。本実施形態では、上方側開閉部１８をヒンジ２０を用いて画像形成装置本体１２に対して上方に開き、電装基板１００の第２の面１００ｂ側から操作者が作業をする。
【００５２】
操作者からは、図４に示すように電装基板１００に形成された視認用開口部１０８から電装基板１００側の端子部材１０２が視認される。
【００５３】
操作者は、被給電部材のコネクタを視認用開口部１０８を介して視認しながら端子部材１０２に装着する。この際、窪み部１１０が端子部材１０２の装着側に配置されており、装着作業が容易となり、操作性がよく、基板を傷つけることが防止される。また、視認用窓１０８を介して被給電部材のコネクタと端子部材との接続状態が確認され、コネクタ間の接続不良が防止される。
【００５４】
なお、電装基板１００は、高電圧印加用に特に限定されるものではない。
【００５５】
また、本実施形態では、電装基板１００の電子部品１０４がフレーム開口部側でなく、画像形成装置本体の底面側に配置される例について説明したが、これに限らず、電子部品１０４が画像形成装置本体の側面内側に配置されてもよく、側面外側や天面側に配置するようにしてもよい。
【００５６】
その他本発明は、上記実施形態に限定されず、本発明の趣旨を逸脱しない範囲で種々の変更が可能である。例えば、電装基板１００の視認用開口部１０８の形状等は、本実施形態に特に限定されるものではなく、適宜変更することができる。また、電装基板１００上の電子部品１０４や端子部材１０２、窪み部１１０の個数や配置等についてもこれに限定されず、電装基板１００の構成に応じて適宜設計することができる。
【００５７】
以上で説明をしたように、本発明は、例えば複写機、プリンタ、ファクシミリ装置等の画像形成装置に適用することができる。
【００５８】
また、本発明は、画像形成装置１０に適用される電装基板１００について詳述したが、これに限らず、パソコン、テレビ等の電装基板を備えた電子機器に適用される。
【符号の説明】
【００５９】
１０・・・画像形成装置
１２・・・画像形成装置本体
１８・・・上方側開閉部材
１００・・電装基板
１０２・・端子部材（給電コネクタ）
１０４・・電子部品
１０６・・スリット（沿面絶縁距離確保用溝）
１０８・・視認用開口部
１１０・・窪み部
【図１】
2017049401.tif 000003
【図２】
2017049401.tif 000004
【図３】
2017049401.tif 000005
【図４】
2017049401.tif 000006